(57)【要約】【課題】装置の小型化を実現できるとともに、配線ケーブルの湾曲部等と駆動部とが接触することによる異音の発生や駆動部の移動体に対する駆動不良等の不具合が発生することを抑制できる画像読取装置を提供する。【解決手段】画像読取装置１は、ベース部１０内に設けられ、一端部５０Ａが底面１１における基端１１Ｌと終端１１Ｒとの中間部に固定されるとともに、他端部５０Ｂが読取部３に連結され、可撓性を有する配線ケーブル５０を備える。配線ケーブル５０は、一端部５０Ａから底面１１に沿って終端１１Ｒ側に延びる第１伸長部５１と、第１伸長部５１に連続し、読取面８Ａに接近するように湾曲して基端１１Ｌ側に向きを変える湾曲部５３と、湾曲部５３に連続し、基端１１Ｌ側に延びて他端部５０Ｂに至る第２伸長部５２とを有する。駆動部３０Ｍと、配線ケーブル５０の少なくとも湾曲部５３とは、第１方向から見て、少なくとも一部が重なっている。【選択図】図４
2014150312.tif 000002
【特許請求の範囲】
【請求項１】
底面と、前記底面と対向する読取面とを有するベース部と、
前記ベース部内に設けられ、前記読取面上の原稿の画像を読み取るように構成された読取部と、
前記ベース部内に設けられ、前記読取部を保持し、前記読取面と平行な第１方向において基端から終端までの間で往復移動する移動体と、
前記ベース部内における前記基端側に設けられ、前記移動体を駆動する駆動部と、
前記ベース部内に設けられ、一端部が前記底面における前記基端と前記終端との中間部に固定されるとともに、他端部が前記読取部に連結され、可撓性を有する配線ケーブルとを備え、
前記配線ケーブルは、前記一端部から前記底面に沿って前記終端側に延びる第１伸長部と、前記第１伸長部に連続し、前記読取面に接近するように湾曲して前記基端側に向きを変える湾曲部と、前記湾曲部に連続し、前記基端側に延びて前記他端部に至る第２伸長部とを有し、
前記駆動部と、前記配線ケーブルの少なくとも前記湾曲部とは、前記第１方向から見て、少なくとも一部が重なっていることを特徴とする画像読取装置。
【請求項２】
前記第１伸長部の前記一端部側には、前記終端側から前記基端側に延びた後に屈曲して前記終端側に向きを変える折り曲げ部が形成されている請求項１記載の画像読取装置。
【請求項３】
前記ベース部は、前記一端部を位置決めする位置決め部を有している請求項１又は２記載の画像読取装置。
【請求項４】
前記位置決め部は、前記基端側から前記折り曲げ部を当て止めるとともに、前記底面側と前記読取面側とから前記折り曲げ部を挟んで収容する溝である請求項３記載の画像読取装置。
【請求項５】
前記ベース部は、前記底面における前記一端部と前記駆動部との間から前記読取面に向かって突出するガイド部を有し、
前記ガイド部は、前記終端側から前記基端側に向けて上り傾斜する傾斜面を有している請求項１乃至４のいずれか１項記載の画像読取装置。
【請求項６】
前記ガイド部は、前記読取面と平行、かつ前記第１方向と直交する第２方向において互いに間隔を空けて並ぶとともに、それぞれ前記第１方向に延びる複数の板状部と、
前記第２方向に延びて各前記板状部を連結する連結部とを有している請求項５記載の画像読取装置。
【請求項７】
前記ガイド部と前記読取面との距離は、前記駆動部と前記読取面との距離より小さい請求項５又は６記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、ベース部と、読取部と、移動体と、駆動部と、配線ケーブルとを備えている。ベース部は、底面と、底面と対向する読取面とを有している。読取部は、ベース部内に設けられ、読取面上の原稿の画像を読み取るように構成されている。移動体は、ベース部内に設けられ、読取部を保持している。移動体は、読取面と平行な第１方向において基端から終端までの間で往復移動する。駆動部は、ベース部内における基端側に設けられ、移動体を駆動する。配線ケーブルは、ベース部内に設けられ、一端部が底面における基端と終端との中間部に固定されるとともに、他端部が読取部に連結されている。配線ケーブルは、可撓性を有している。
【０００３】
配線ケーブルは、第１伸長部と、湾曲部と、第２伸長部とを有している。第１伸長部は、配線ケーブルの一端部から底面に沿って基端側に延びる。湾曲部は、第１伸長部に連続し、読取面に接近するように湾曲して終端側に向きを変える。第２伸長部は、湾曲部に連続し、終端側に延びて他端部に至る。すなわち、湾曲部は、第１方向において駆動部に向けて突出している。
【０００４】
この画像読取装置では、移動体が第１方向に移動することにより、読取部が移動体とともに移動し、読取面上の原稿の画像を読み取る。この際、配線ケーブルは、移動体の移動により湾曲部が第１方向に移動する。この移動に伴って、第１伸長部及び第２伸長部の一方が短くなる一方、第１伸長部及び第２伸長部の他方が長くなる。こうして、この画像読取装置では、配線ケーブルが移動体の移動に追従し、読取部による画像の読取処理を妨げないようになっている。
【先行技術文献】
【特許文献】
【０００５】
【特許文献１】特開２０１２−３４１０６号公報
【発明の概要】
【発明が解決しようとする課題】
【０００６】
ところで、上記従来の画像読取装置では、小型化のため、駆動部と、配線ケーブルの少なくとも湾曲部とが第１方向から見て重なるようにレイアウトを変更することが考えられる。
【０００７】
しかしながら、この場合、従来の画像読取装置では、配線ケーブルの湾曲部が第１方向において駆動部に向けて突出していることから、移動体が往復移動する際、湾曲部等と駆動部とが接触するおそれがある。そして、その接触に起因して、異音の発生や、駆動部の移動体に対する駆動不良等の不具合が生じるおそれがある。
【０００８】
本発明は、上記従来の実情に鑑みてなされたものであって、装置の小型化を実現できるとともに、配線ケーブルの湾曲部等と駆動部とが接触することによる異音の発生や駆動部の移動体に対する駆動不良等の不具合が発生することを抑制できる画像読取装置を提供することを目的とする。
【課題を解決するための手段】
【０００９】
本発明の画像読取装置は、底面と、前記底面と対向する読取面とを有するベース部と、
前記ベース部内に設けられ、前記読取面上の原稿の画像を読み取るように構成された読取部と、
前記ベース部内に設けられ、前記読取部を保持し、前記読取面と平行な第１方向において基端から終端までの間で往復移動する移動体と、
前記ベース部内における前記基端側に設けられ、前記移動体を駆動する駆動部と、
前記ベース部内に設けられ、一端部が前記底面における前記基端と前記終端との中間部に固定されるとともに、他端部が前記読取部に連結され、可撓性を有する配線ケーブルとを備え、
前記配線ケーブルは、前記一端部から前記底面に沿って前記終端側に延びる第１伸長部と、前記第１伸長部に連続し、前記読取面に接近するように湾曲して前記基端側に向きを変える湾曲部と、前記湾曲部に連続し、前記基端側に延びて前記他端部に至る第２伸長部とを有し、
前記駆動部と、前記配線ケーブルの少なくとも前記湾曲部とは、前記第１方向から見て、少なくとも一部が重なっていることを特徴とする。
【００１０】
本発明の画像読取装置では、駆動部と、配線ケーブルの少なくとも湾曲部とが第１方向から見て少なくとも一部が重なるように、駆動部と配線ケーブルとを配置することにより、装置の小型化を実現できる。
【００１１】
また、この画像読取装置では、第１伸長部は、ベース部の底面における第１方向の基端と終端との中間部に固定される一端部から、ベース部の底面に沿って終端側に延びている。湾曲部は、第１伸長部に連続し、読取面に接近するように湾曲して基端側に向きを変える。第２伸長部は、湾曲部に連続し、基端側に延びて、読取部に連結される他端部に至る。すなわち、配線ケーブルの湾曲部が第１方向において駆動部と反対側に向けて突出しており、湾曲部が駆動部から遠ざけられている。これにより、この画像読取装置では、移動体の移動に伴って湾曲部の位置が変位しても、配線ケーブルの湾曲部等が駆動部に接触し難い。
【００１２】
したがって、本発明の画像読取装置では、装置の小型化を実現できるとともに、配線ケーブルの湾曲部等と駆動部とが接触することによる異音の発生や駆動部の移動体に対する駆動不良等の不具合が発生することを抑制できる。
【００１３】
第１伸長部の前記一端部側には、終端側から基端側に延びた後に屈曲して終端側に向きを変える折り曲げ部が形成されていることが望ましい。この構成によれば、折り曲げ部により、配線ケーブルの引き回しの自由度が向上する。
【００１４】
ベース部は、一端部を位置決めする位置決め部を有していることが望ましい。この構成によれば、位置決め部により、配線ケーブルの一端部が位置ずれし難くなるので、配線作業を行い易くなる。
【００１５】
位置決め部は、基端側から折り曲げ部を当て止めるとともに、底面側と読取面側とから折り曲げ部を挟んで収容する溝であることが望ましい。この構成によれば、折り曲げ部を当て止めつつ挟むことにより、配線ケーブルの一端部をベース部に対して精度良く位置決めできる。
【００１６】
ベース部は、底面における一端部と駆動部との間から読取面に向かって突出するガイド部を有していることが望ましい。そして、ガイド部は、終端側から基端側に向けて上り傾斜する傾斜面を有していることが望ましい。この構成によれば、移動体が基端側に移動する際に、配線ケーブルの第２伸長部が駆動部等に接触しないように、第２伸長部を底面側から読取面側に持ち上げるように案内することができる。その結果、この画像読取装置では、異音の発生や駆動部の移動体に対する駆動不良等の不具合が発生することを一層抑制できる。また、移動体をベース部に組み付ける際にも、移動体が駆動部等に接触しないように、移動体を底面側から読取面側に持ち上げるように案内することができる。その結果、この画像読取装置では、組み付け時の駆動部の破損を抑制できる。
【００１７】
ガイド部は、読取面と平行、かつ第１方向と直交する第２方向において互いに間隔を空けて並ぶとともに、それぞれ第１方向に延びる複数の板状部と、第２方向に延びて各板状部を連結する連結部とを有していることが望ましい。この構成によれば、ガイド部に剛性を持たせることができる。
【００１８】
ガイド部と読取面との距離は、駆動部と読取面との距離より小さいことが望ましい。この構成によれば、第２伸長部及び組み付け時の移動体がガイド部に案内されることにより、駆動部から確実に離間するので、配線ケーブル及び組み付け時の移動体と、駆動部との接触を一層抑制できる。
【図面の簡単な説明】
【００１９】
【図１】実施例の画像読取装置の斜視図である。
【図２】上記画像読取装置の模式側面図である。
【図３】上記画像読取装置に係り、プラテンガラスを取り外した読取ユニットの上面図である。
【図４】上記画像読取装置に係り、ベース部、読取部、キャリッジ、駆動部及び配線ケーブル等を示す斜視図である。
【図５】上記画像読取装置に係り、（ａ）及び（ｂ）は図３のＡ−Ａ断面を示す断面図である。
【図６】上記画像読取装置に係り、図５（ａ）の矢視Ｂ方向から見た部分側面図である。
【図７】上記画像読取装置に係り、ガイド部を示す部分斜視図である。
【図８】上記画像読取装置に係り、（ａ）及び（ｂ）は図５と同様の断面図である。
【発明を実施するための形態】
【００２０】
以下、本発明を具体化した実施例を図面を参照しつつ説明する。
【００２１】
（実施例）
図１に示すように、実施例の画像読取装置１は、本発明の画像読取装置の具体的態様の一例である。図１では、操作パネル５が設けられた側を装置の前側と規定し、操作パネル５に向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００２２】
＜構成＞
図１及び図２に示すように、画像読取装置１は、本体部８と開閉部９とを備えている。本体部８は、扁平な略箱状体であり、その前側には、図１に示す操作パネル５が設けられている。図２に示すように、本体部８の上面には、プラテンガラス１９が配設され、そのプラテンガラス１９の上面が図２に示す読取面８Ａとされている。読取面８Ａには、原稿を静止させた状態で読み取る際に、原稿が載置される。原稿は、用紙等のシートや、書籍等である。
【００２３】
図１に示すように、開閉部９は、本体部８の後面側上端縁に配設された図示しないヒンジにより、左右方向に延びる開閉軸心Ｘ９周りに揺動可能に本体部８に支持されている。開閉部９は、図１に実線で示すように、閉じた状態では読取面８Ａを上方から覆っている。その一方、開閉部９は、図１に二点鎖線で示すように、その前側が上方かつ後方に変位するように開閉軸心Ｘ９周りに揺動することにより、読取面８Ａの上方を開放する。これにより、ユーザは読取対象の原稿を読取面８Ａに載置することができる。
【００２４】
図１及び図２に示すように、開閉部９の上側には、原稿台９Ａが設けられている。また、開閉部９内には、図２に示すように、自動原稿搬送機構４が配設されている。自動原稿搬送機構４は周知のものであるので説明は簡略するが、原稿台９Ａに載置される複数枚の原稿を１枚ずつ分離し、搬送経路Ｐ１に沿って順次搬送する。
【００２５】
本体部８の下側部分には、画像形成ユニットＦが設けられている。図示は省略するが、画像形成ユニットＦには、インクジェット方式又はレーザ方式等の画像形成部が収容されている。本体部８の上側部分には、画像読取ユニットＲが設けられている。画像読取ユニットＲは、図３〜図６に示すように、ベース部１０、プラテンガラス１９、枠体１８等を有して構成されている。
【００２６】
図３〜図６に示すように、ベース部１０は、熱可塑性樹脂の射出成形品である。ベース部１０には、底面１１及び周壁１２Ａ、１２Ｂ、１２Ｌ、１２Ｒ等が形成されている。
【００２７】
底面１１は、第１底面１１Ａと、第２底面１１Ｂと、第３底面１１Ｃとを含んでいる。第１底面１１Ａは、ベース部１０の前側で略水平に延在している。第２底面１１Ｂは、ベース部１０の後側で、第１底面１１Ａに対して低い位置で略水平に延在している。第３底面１１Ｃは、ベース部１０の左側で、第１底面１１Ａ及び第２底面１１Ｂに対して低い位置で略水平に延在している。なお、本実施例において、「略水平に延在する」とは、平面内に凸部又は凹部を含んでいてもよいし、ある程度の傾斜、湾曲又は屈曲を含んでいてもよい。
【００２８】
周壁１２Ａは、底面１１の前端部から上方に向けて突出している。周壁１２Ｂは、底面１１の後端部から上方に向けて突出している。周壁１２Ｌは、底面１１の左端部１１Ｌから上方に向けて突出している。周壁１２Ｒは、底面１１の右端部１１Ｒから上方に向けて突出している。底面１１の左端部１１Ｌは、本発明の「基端」の一例である。底面１１の右端部１１Ｒは、本発明の「終端」の一例である。
【００２９】
前側の周壁１２Ａと、後側の周壁１２Ｂと、左側の周壁１２Ｌと、右側の周壁１２Ｒとは、底面１１の周縁を囲うことにより、その内側に収容領域１０Ａを形成している。収容領域１０Ａには、キャリッジ２０、読取部３、配線ケーブル５０及び走査機構３０が収容されている。キャリッジ２０は、本発明の「移動体」の一例である。
【００３０】
プラテンガラス１９は、前側の周壁１２Ａと、後側の周壁１２Ｂと、左側の周壁１２Ｌと、右側の周壁１２Ｒとによって自己の周縁が下側から支持されている。また、プラテンガラス１９は、枠体１８が自己の周縁に対して上側から当接しつつ、ベース部１０に組み付けられることにより、本体部８に固定されている。図５及び図６に示すように、上面が読取面８Ａとされたプラテンガラス１９は、底面１１と間隔を有して対向するとともに、収容領域１０Ａを覆っている。
【００３１】
図３、図４及び図６に示すように、第１底面１１Ａには、ガイドレール２９が形成されている。ガイドレール２９は、第１底面１１Ａにおける前後方向の略中央に位置して、上方に突出しつつ左右方向に延びている。ガイドレール２９の左端は、左側の周壁１２Ｌの下部まで延びている。ガイドレール２９の右端は、右側の周壁１２Ｒの下部まで延びている。ガイドレール２９の上端縁は、読取面８Ａと平行に左右方向に延びている。ガイドレール２９が延びる左右方向は、本発明の「第１方向」の一例である。
【００３２】
図３〜図６に示すように、キャリッジ２０は、前後方向に細長い樹脂製部材であり、前側の周壁１２Ａ及び後側の周壁１２Ｂの近傍まで延びている。キャリッジ２０は、ガイドレール２９に案内されることにより、図５（ａ）及び（ｂ）に示すように、底面１１の左端部１１Ｌから右端部１１Ｒまでの間で往復移動可能となっている。
【００３３】
図３〜図６に示すように、読取部３は、キャリッジ２０に搭載されている。読取部３は、収容領域１０Ａ内でプラテンガラス１９に対して下側から対向するようにキャリッジ２０に支持されている。読取部３は、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサである。読取部３は、前後方向において、読取面８Ａに載置される原稿（本装置が読取可能とする最大サイズの原稿）の前後幅を越える程度の長さを有している。読取部３は、キャリッジ２０の移動に伴って、図５（ａ）及び（ｂ）に示すように、底面１１の左端部１１Ｌから右端部１１Ｒまでの間で往復移動する。
【００３４】
図３〜図６に示すように、走査機構３０は、駆動部３０Ｍ、駆動プーリ３１、従動プーリ３２及びタイミングベルト３３を有している。
【００３５】
駆動部３０Ｍは、電動モータと、その電動モータに噛み合う複数個のギヤ群とからなる。駆動部３０Ｍは、底面１１の左端部１１Ｌ側に位置して、第３底面１１Ｃ上に配設されている。駆動部３０Ｍは、左側の周壁１２Ｌに隣接し、かつ、ガイドレール２９の左端の近傍から後側の周壁１２Ｂまで長く延在している。駆動部３０Ｍは、図示しない制御部に制御されて回転する。
【００３６】
図３、図４及び図６に示すように、駆動プーリ３１は、駆動部３０Ｍのギヤ群のうち、最も前側のギヤに一体成形されている。駆動プーリ３１は、左側の周壁１２Ｌに隣接し、かつ、ガイドレール２９の左端に対して、後側に位置している。駆動プーリ３１は、上下方向に延びる軸心周りに回転可能となっている。
【００３７】
図示しない制御部に制御されて、駆動部３０Ｍの電動モータが回転すると、駆動プーリ３１が回転駆動される。制御部が電動モータの回転方向を切り替えることにより、駆動プーリ３１は、正回転又は逆回転する。
【００３８】
図３及び図４に示すように、従動プーリ３２は、右側の周壁１２Ｒに隣接し、かつ、ガイドレール２９の右端に対して、後側に位置している。従動プーリ３２は、上下方向に延びる軸心周りに回転可能となっている。
【００３９】
タイミングベルト３３は、駆動プーリ３１と従動プーリ３２とに巻き掛けられた無端ベルトである。図示は省略するが、タイミングベルト３３において、駆動プーリ３１から従動プーリ３２まで平行に延びる一対の直線部分の一方は、キャリッジ２０に連結されている。これにより、駆動プーリ３１の正回転及び逆回転に伴うタイミングベルト３３の変位がキャリッジ２０に伝達され、キャリッジ２０が左右方向に往復移動可能となっている。
【００４０】
図３〜図６に示すように、配線ケーブル５０は、複数本の被覆電線が帯状に接続されてなり、可撓性を有するフレキシブルフラットケーブルである。配線ケーブル５０は、第２底面１１Ｂ上に配設されている。
【００４１】
配線ケーブル５０の一端部５０Ａは、第２底面１１Ｂにおける左端部１１Ｌと右端部１１Ｒとの中間部に、両面テープ等により固定されている。配線ケーブル５０は、一端部５０Ａから第２底面１１Ｂに沿って底面１１の右端部１１Ｒ側に向かって延び、その先端は本体部８内に設けられた図示しない制御部に電気的に接続されている。配線ケーブル５０の他端部５０Ｂは、キャリッジ２０に固定され、その先において、読取部３と図示しないコネクタを介して電気的に接続されている。
【００４２】
より詳しくは、配線ケーブル５０は、第１伸長部５１と、湾曲部５３と、第２伸長部５２とを有している。
【００４３】
図５に示すように、第１伸長部５１は、第２底面１１Ｂに固定された配線ケーブル５０の一端部５０Ａ側で、底面１１の右端部１１Ｒ側から左端部１１Ｌ側に短く延びた後に１８０°折り曲げられて、底面１１の右端部１１Ｒ側に向きを変える部分である。そして、第１伸長部５１は、第２底面１１Ｂに沿って、底面１１の右端部１１Ｒ側に延びている。第１伸長部５１において一端部５０Ａ側で１８０°折り曲げられた部位は、折り曲げ部５４である。
【００４４】
図４及び図５に示すように、第２底面１１Ｂにおける左端部１１Ｌと右端部１１Ｒとの中間部には、位置決め部１２０が形成されている。位置決め部１２０は、上側に短く突出した後に底面１１の右端部１１Ｒ側に延びる平板部と、第２底面１１Ｂとの間に形成された溝である。位置決め部１２０は、底面１１の左端部１１Ｌ側から折り曲げ部５４を当て止めるとともに、第１底面１１Ｂ側と読取面８Ａ側とから、すなわち上下方向から、折り曲げ部５４を挟んで収容している。これにより、位置決め部１２０は、配線ケーブル５０の一端部５０Ａを左右方向において位置決めする。
【００４５】
湾曲部５３は、第１伸長部５１に連続し、読取面８Ａに接近するように半円弧状に湾曲して、底面１１の左端部１１Ｌ側に向きを変える部分である。第２伸長部５２は、湾曲部５３に連続し、プラテンガラス１９に沿って底面１１の左端部１１Ｌ側に延びている。第２伸長部５２は、キャリッジ２０の下側を通過した後、複数回折り曲げられながら上向きに延びて他端部５０Ｂに至る部分である。
【００４６】
このような構成である配線ケーブル５０により、キャリッジ２０に搭載された読取部３と図示しない制御部とが電気的に接続されている。
【００４７】
キャリッジ２０が底面１１の左端部１１Ｌ側から右端部１１Ｒ側に移動する場合、すなわち、キャリッジ２０が図５（ａ）に示す位置から図５（ｂ）に示す位置に移動する場合、配線ケーブル５０の第２伸長部５２がキャリッジ２０に押されるので、湾曲部５３が右側に向かって移動し、第１伸長部５１が長くなり、第２伸長部５２が短くなる。
【００４８】
その一方、キャリッジ２０が底面１１の右端部１１Ｒ側から左端部１１Ｌ側に移動する場合、すなわち、キャリッジ２０が図５（ｂ）に示す位置から図５（ａ）に示す位置に移動する場合、配線ケーブル５０の第２伸長部５２がキャリッジ２０に引っ張られるので、湾曲部５３が左側に向かって移動し、第１伸長部５１が短くなり、第２伸長部５２が長くなる。こうして、配線ケーブル５０は、キャリッジ２０の移動に追従し、読取部３による画像の読取処理を妨げないようになっている。
【００４９】
図５（ａ）の矢視Ｂ方向から見た駆動部３０Ｍの輪郭を図６に二点鎖線で示す。図６に示すように、駆動部３０Ｍの一部と、配線ケーブル５０の少なくとも湾曲部５３の一部とは、左右方向から見て重なっている。
【００５０】
図３及び図５〜図７に示すように、第２底面１１Ｂには、ガイド部１００が形成されている。図５に示すように、ガイド部１００は、左右方向において、配線ケーブル５０の一端部５０Ａと駆動部３０Ｍとの間であって、一端部５０Ａよりも駆動部３０Ｍに近い位置に設けられている。図６に示すように、ガイド部１００は、左右方向から見て、配線ケーブル５０の少なくとも湾曲部５３の一部と、駆動部３０Ｍの一部とに重なっている。
【００５１】
図７に示すように、ガイド部１００は、２つの板状部１０１、１０２と、連結部１０３とを有している。各板状部１０１、１０２と連結部１０３とは、第２底面１１Ｂから読取面８Ａに向かって上向きに突出している。
【００５２】
板状部１０１と板状部１０２とは、前後方向において互いに間隔を空けて並ぶとともに、それぞれ左右方向に衝立状に延びている。連結部１０３は、前後方向に衝立状に延びて各板状部１０１、１０２の左端縁を連結している。前後方向は、本発明の「読取面と平行、かつ第１方向と直交する第２方向」の一例である。
【００５３】
板状部１０１の右側には、傾斜面１０１Ｓが形成されている。板状部１０２の右側には、傾斜面１０２Ｓが形成されている。傾斜面１０１Ｓ、１０２Ｓはそれぞれ、底面１１の右端部１１Ｒ側から左端部１１Ｌ側に向けて、直線状に上り傾斜している。傾斜面１０１Ｓは、傾斜面１０２Ｓよりも右側に位置している。板状部１０１の上端縁は、傾斜面１０１Ｓの上端から水平に延びて、連結部１０３の上端縁に接続している。傾斜面１０２Ｓの上端は、連結部１０３の上端縁に直に接続している。
【００５４】
図５（ｂ）に示すように、ガイド部１００の上端と読取面８Ａとの距離Ｌ１は、駆動部３０Ｍの上端と読取面８Ａとの距離Ｌ２より小さい。
【００５５】
＜画像読取動作＞
この画像読取装置１では、読取面８Ａに載置された原稿を読み取る場合、走査機構３０の駆動部３０Ｍ等が作動し、図２に示すように、キャリッジ２０に搭載された読取部３を本体部８内における左端側から右端側に移動させる。これにより、読取部３は、読取面８Ａに載置された原稿の画像を読み取る。その後、走査機構３０は、読み取りを終えた読取部３を本体部８内における右端側から左端側に移動させ、元の位置に復帰させる。
【００５６】
また、この画像読取装置１では、原稿台９Ａに載置される複数枚の原稿の画像を読み取る場合、図２及び図４に示すように、走査機構３０の駆動部３０Ｍ等が作動し、キャリッジ２０に搭載された読取部３を本体部８内における左端側の位置である固定読取位置に移動させる。そして、自動原稿搬送機構４が原稿台９Ａに載置される原稿を搬送経路Ｐ１に沿って順次搬送すると、その原稿が固定読取位置にある読取部３の上側を通過するので、読取部３は、その通過する原稿の画像を読み取る。
【００５７】
こうして、この画像読取装置１では、読取面８Ａ又は原稿台９Ａに載置された原稿の画像を読み取ることができる。
【００５８】
＜作用効果＞
実施例の画像読取装置１では、図６に示すように、駆動部３０Ｍと、配線ケーブル５０の少なくとも湾曲部５３とは、左右方向から見て、少なくとも一部が重なっている。これにより、駆動部３０Ｍ及び配線ケーブル５０のレイアウトの自由度が高くなるので、仮に駆動部３０Ｍと配線ケーブル５０とが左右方向から見て重ならないように駆動部３０Ｍ及び配線ケーブル５０をレイアウトする場合と比較して、装置の小型化を実現できる。
【００５９】
また、この画像読取装置１では、図３〜図５に示すように、配線ケーブル５０における第１伸長部５１は、ベース部１０の第２底面１１Ｂにおける左端部１１Ｌと右端部１１Ｒとの中間部に固定される一端部５０Ａから、ベース部１０の底面１１に沿って、底面１１の右端部１１Ｒ側に延びている。配線ケーブル５０における湾曲部５３は、第１伸長部５１に連続し、読取面８Ａに接近するように湾曲して、底面１１の左端部１１Ｌ側に向きを変える。配線ケーブル５０における第２伸長部５２は、湾曲部５３に連続し、底面１１の左端部１１Ｌ側に延びて、読取部３に連結される他端部５０Ｂに至る。すなわち、配線ケーブル５０の湾曲部５３が左右方向において駆動部３０Ｍと反対側に向けて突出しており、湾曲部５３が駆動部３０Ｍから遠ざけられている。これにより、この画像読取装置１では、キャリッジ２０の移動に伴って湾曲部５３の位置が変位しても、配線ケーブル５０の湾曲部５３等が駆動部３０Ｍに接触し難い。
【００６０】
したがって、実施例の画像読取装置１では、装置の小型化を実現できるとともに、配線ケーブル５０の湾曲部５３等と駆動部３０Ｍとが接触することによる異音の発生や駆動部３０Ｍのキャリッジ２０に対する駆動不良等の不具合が発生することを抑制できる。
【００６１】
また、この画像読取装置１では、図５に示すように、第１伸長部５１の一端部５０Ａ側に形成された折り曲げ部５４により、配線ケーブル５０の引き回しの自由度が向上する。
【００６２】
さらに、この画像読取装置１では、図５に示すように、第２底面１１Ｂの中間部に設けられた位置決め部１２０により配線ケーブル５０の一端部５０Ａを位置決めするので、配線ケーブル５０の一端部５０Ａが位置ずれし難く、配線作業を行い易い。また、溝である位置決め部１２０は、底面１１の左端部１１Ｌ側から折り曲げ部５４を当て止めるとともに、底面１１側と読取面８Ａ側とから折り曲げ部５４を挟んで収容するので、配線ケーブル５０の一端部５０Ａをベース部１０に対して精度良く位置決めできる。
【００６３】
また、この画像読取装置１では、図５及び図７に示すように、第２底面１１Ｂにおける一端部５０Ａと駆動部３０Ｍとの間から読取面８Ａに向かって突出するガイド部１００は、各板状部１０１、１０２に形成され、底面１１の右端部１１Ｒ側から左端部１１Ｌ側に向けて上り傾斜する傾斜面１０１Ｓ、１０２Ｓを有している。
【００６４】
これにより、この画像読取装置１では、図８（ａ）に示すように、キャリッジ２０が底面１１の左端部１１Ｌ側に移動する際に、配線ケーブル５０の第２伸長部５２が垂れ下がったとしても、第２伸長部５２が駆動部３０Ｍ等より先に傾斜面１０１Ｓ、１０２Ｓに接触する。こうして、この画像読取装置１では、ガイド部１０により、垂れ下がった第２伸長部５２が駆動部３０Ｍ等に接触しないように、第２伸長部５２を底面１１側から読取面８Ａ側に持ち上げるように案内することができる。その結果、この画像読取装置１では、配線ケーブル５０の湾曲部５３等と駆動部３０Ｍとが接触することによる異音の発生や駆動部３０Ｍのキャリッジ２０に対する駆動不良等の不具合が発生することを一層抑制できる。
【００６５】
また、この画像読取装置１では、図８（ｂ）に示すように、製造工程において、プラテンガラス１９及び枠体１８が組み付けられていないベース部１０に対して、キャリッジ２０を組み付ける際にキャリッジ２０が傾斜し、キャリッジ２０が第２底面１１Ｂに接近し過ぎる場合がある。このような場合に、キャリッジ２０が底面１１の左端部１１Ｌ側に移動したとしても、キャリッジ２０が駆動部３０Ｍ等より先に傾斜面１０１Ｓ、１０２Ｓに接触する。こうして、この画像読取装置１では、ガイド部１０により、第２底面１１Ｂに接近し過ぎたキャリッジ２０が駆動部３０Ｍ等に接触しないように、キャリッジ２０を底面１１側から読取面８Ａ側に持ち上げるように案内することができる。その結果、この画像読取装置１では、組み付け時の駆動部３０Ｍの破損を抑制できる。
【００６６】
さらに、この画像読取装置１では、ガイド部１００が２つの板状部１０１、１０２と、連結部１０３とを有していることにより、ガイド部１００に剛性を持たせることができる。
【００６７】
また、この画像読取装置１では、ガイド部１００の上端と読取面８Ａとの距離Ｌ１は、駆動部３０Ｍの上端と読取面８Ａとの距離Ｌ２より小さい。これにより、この画像読取装置１では、第２伸長部５２及び組み付け時のキャリッジ２０がガイド部１００に案内されることにより、駆動部３０Ｍから確実に離間するので、配線ケーブル５０及び組み付け時のキャリッジ２０と、駆動部３０Ｍとの接触を一層抑制できる。
【００６８】
以上において、本発明を実施例に即して説明したが、本発明は上記実施例に制限されるものではなく、その趣旨を逸脱しない範囲で適宜変更して適用できることはいうまでもない。
【００６９】
例えば、ガイド部は、ベース部と別体であって、ベース部に組み付けられてもよい。
【産業上の利用可能性】
【００７０】
本発明は画像読取装置又は複合機等に利用可能である。
【符号の説明】
【００７１】
１…画像読取装置、１０…ベース部、３…読取部、１１…底面、８Ａ…読取面
１１Ｌ…基端（底面の左端部）、１１Ｒ…終端（底面の右端部）
２０…移動体（キャリッジ）、３０Ｍ…駆動部、５０…配線ケーブル
５０Ａ…配線ケーブルの一端部、５０Ｂ…配線ケーブルの他端部
５１…第１伸長部、５２…第２伸長部、５３…湾曲部、５４…折り曲げ部
１２０…位置決め部、１００…ガイド部
１０１、１０２…板状部、１０３…連結部、１０１Ｓ、１０２Ｓ…傾斜面
Ｌ１…ガイド部と読取面との距離、Ｌ２…駆動部と読取面との距離
【図１】
2014150312.tif 000003
【図２】
2014150312.tif 000004
【図３】
2014150312.tif 000005
【図４】
2014150312.tif 000006
【図５】
2014150312.tif 000007
【図６】
2014150312.tif 000008
【図７】
2014150312.tif 000009
【図８】
2014150312.tif 000010